(57)【要約】      （修正有）【課題】各表面実装箱が互いに連結することができない問題を解決し、製品構造の対称性、且つ各表面実装箱を組み合わせた後の安定性をもたらす表面実装箱の組み合せ装置を提供する。【解決手段】表面実装箱の組み合わせ装置１０は、第一接合部１２１が設けられる第一側１１１を有する第一表面実装箱１１と、第二接合部が設けられる第二側を有する第二表面実装箱１２と、第一表面実装箱１１及び第二表面実装箱１２から独立する連結装置１３であって、第一表面実装箱１１と第二表面実装箱１２を組み合わせるように、第一接合部１２１及び第二接合部を連結装置に埋め込む連結装置、とを含んでなる。【選択図】図１Ａ
0003200363.tif 000002
【実用新案登録請求の範囲】
【請求項１】
第一接合部が設けられる第一側を有する第一表面実装箱と、
第二接合部が設けられる第二側を有する第二表面実装箱と、
前記第一表面実装箱及び前記第二表面実装箱から独立する連結装置であって、前記第一表面実装箱と前記第二表面実装箱を組み合わせるように、前記第一接合部及び前記第二接合部を前記連結装置に埋め込む連結装置と、を含んでなることを特徴とする表面実装箱の組み合わせ装置。
【請求項２】
前記連結装置は、結合ピンであり、
前記第一接合部は、前記連結装置の第一切欠き部に埋め込むための第一突出し部であり、且つ前記第二接合部は、前記連結装置の第二切欠き部に埋め込むための第二突出し部であり、
前記第一切欠き部には、前記第一突出し部の第一中央切欠き部に埋め込むための第一中央突出し部が設けられ、
前記第二切欠き部には、前記第二突出し部の第二中央切欠き部埋め込むための第二中央突出し部が設けられることを特徴とする請求項１に記載の表面実装箱の組み合わせ装置。
【請求項３】
前記第一表面実装箱は、第一筐体及び第一ベースを有し、
前記第一筐体には、前記第一ベースの内向き突縁に当接するためのフック部が設けられ、
前記第一筐体には、前記第一ベースの左側端部に当接するための位置決め端部が設けられることを特徴とする請求項１に記載の表面実装箱の組み合わせ装置。
【請求項４】
前記連結装置は、結合片であり、
前記第一接合部及び第二接合部は、第一開口部及び第二開口部であり、前記結合片には、前記第一開口部及び前記第二開口部のそれぞれに埋め込むための第一及び第二凸状突起が更に設けられ、
前記第一凸状突起は、中空部と、前記第一開口部の周囲の環部に当接するための上突縁とを有することを特徴とする請求項１に記載の表面実装箱の組み合わせ装置。
【請求項５】
表面実装箱本体と、
前記表面実装箱本体の第一側に設けられる第一接合部と、
前記表面実装箱本体の第二側に設けられ、前記第一接合部と同じ構造を有する第二接合部と、を含んでなることを特徴とする表面実装箱。
【請求項６】
前記第一接合部は、第一突出し部、第一切欠き部、第一凸状突起及び第一開口部からなる群から選択されることを特徴とする請求項５に記載の表面実装箱。
【請求項７】
第一実装箱及び第二実装箱を含むネットワーク通信系統に用いられる連結装置であって、
前記第一実装箱及び前記第二実装箱を連結するための連結本体と、
前記連結本体の第一側に形成される第一結合部と、
前記連結本体の第一側と反対側の第二側に形成される第二結合部と、を含んでなることを特徴とする連結装置。
【請求項８】
前記第一結合部は、第一切欠き部、第一突出し部、第一凸状突起及び第一開口部からなる群から選択され、
前記第二結合部は、第二切欠き部、第二突出し部、第二凸状突起及び第二開口部からなる群から選択されて、前記第一結合部と同じ構造を有することを特徴とする請求項７に記載の連結装置。
【考案の詳細な説明】
【技術分野】
【０００１】
本考案は、表面実装箱の組み合わせ装置に関し、特に、独立の連結装置を利用することで複数の表面実装箱を連結する組み合わせ装置に関する。
【背景技術】
【０００２】
従来のネットワーク／通信用の表面実装箱は、通常、単独で使用されており、他の表面実装箱と組み合わせることができない。使用者は、二つ以上の表面実装箱を組み合わせるようにする時、各表面実装箱を互いに連結する手段がない。従って、このような製品の構造は確かに理想的ではない。
【考案の概要】
【考案が解決しようとする課題】
【０００３】
従って、本考案の考案者は、各表面実装箱を互いに連結することができない問題を改善するために、実験と研究を重ねた結果を通して、遂に表面実装箱の組み合わせ装置を考案するに至った。
【課題を解決するための手段】
【０００４】
本考案は上記目的を達成するために以下のように定義される。
【０００５】
上述の目的を達成するために、本考案により提供される表面実装箱の組み合わせ装置は、第一接合部が設けられる第一側を有する第一表面実装箱と、第二接合部が設けられる第二側を有する第二表面実装箱と、前記第一表面実装箱及び前記第二表面実装箱から独立する連結装置であって、前記第一表面実装箱と前記第二表面実装箱を組み合わせるように、前記第一接合部及び前記第二接合部を前記連結装置に埋め込む連結装置と、を含んでなる。
【０００６】
上述の目的を達成するために、表面実装箱を提供する。前記表面実装箱は、表面実装箱本体と、前記表面実装箱本体の第一側に設けられる第一接合部と、前記表面実装箱本体の第二側に設けられ、前記第一接合部と同じ構造を有する第二接合部と、を含んでなる。
【０００７】
上述の目的を達成するために、連結装置を提供する。前記連結装置は、第一実装箱及び第二実装箱を含むネットワーク通信系統に用いられる連結装置であって、前記第一実装箱及び前記第二実装箱を連結するための連結本体と、前記連結本体の第一側に形成される第一結合部と、前記連結本体の第一側と反対側の第二側に形成される第二結合部と、を含んでなる。
【考案の効果】
【０００８】
本考案は、各表面実装箱を互いに連結することができない問題を解決し、製品構造の対称性および各表面実装箱を組み合わせた後の安定性をもたらす。さらに、独立の連結装置を利用し、同じ構造を有する第一接合部と第二接合部を組み合わせ、且つ切欠き部と突出し部と組み合わせることで、組み合わせた後の安定性を高めることができる。
【図面の簡単な説明】
【０００９】
【図１Ａ】本考案の好ましい実施例に係る表面実装箱の組み合わせ装置の概略図である。
【図１Ｂ】本考案の実施例に係る連結装置の拡大側面概略図である。
【図２】本考案の実施例に係る表面実装箱の左側面から見た概略図である。
【図３】本考案の実施例に係る表面実装箱の概略分解図である。
【図４】本考案の実施例に係る表面実装箱の第一ベースの底面図である。
【図５】本考案の実施例に係る複数の表面実装箱の組み合わせ状態の概略図である。
【図６】本考案の好ましい実施例に係る他の連結装置の概略立体図である。
【図７】図６の連結装置を利用して組み合わせる表面実装箱の概略立体図である。
【図８】図７の表面実装箱の概略分解図である。
【考案を実施するための形態】
【００１０】
以下、本考案の実施形態を図面に基づいて、より詳細に説明する。
【００１１】
図１（Ａ）には、表面実装箱の組み合わせ装置１０が示されている。表面実装箱の組み合わせ装置１０は、第一表面実装箱１１を含んでいる。第一表面実装箱１１は、実装箱本体１０１を含んでいる。実装箱本体１０１は、第一接合部１２１が設けられる第一側１１１を含んでいる。第一表面実装箱１１は、第一筐体３１を更に有し、且つ第一筐体３１は、第一位置決め端部（図示せず）を有する（図２と３も参照）。表面実装箱の組み合わせ装置１０は、第二表面実装箱１２と、第一表面実装箱１１及び第二表面実装箱１２から独立する連結装置１３と、を含んでいる。連結装置１３は、連結本体１３０と、第一切欠き部１３１と、第二切欠き部１３２と、を含んでいる。第一表面実装箱１１と第二表面実装箱１２を組み合わせるように、第一接合部１２１を連結装置１３に埋め込む。第一切欠き部１３１及び第二切欠き部１３２のそれぞれは、連結本体１３０の第一側１５１及び第二側１５２に配置されている。図２には、第二表面実装箱１２が示されている。第二表面実装箱１２は、実装箱本体２０１を含んでいる。実装箱本体２０１は、第二接合部２２２が設けられる第二側２２を有する。第二接合部２２２も連結装置１３に埋め込む。第二表面実装箱１２は、第二筐体２４（第二筐体２４は、第一筐体３１と同じ構造を有する）を更に有し、且つ第二筐体２４は、第二位置決め端部２５（第二位置決め端部２５は、第一位置決め端部と同じ構造を有する）を有する。第一位置決め端部は、第一側１１１の反対側に設けられ、且つ第二位置決め端部２５は、第二側２２と同じ側に設けられる。従って、第一表面実装箱１１と第二表面実装箱１２を組み合わせようとする時、第一表面実装箱１１の第一筐体３１を取り外さず、単に第二表面実装箱１２の第二筐体２４だけを一時取り外す。つまり、本考案の表面実装箱の組み合わせ装置は、表面実装箱を組み合わせる時、既に組み合わせた表面実装箱の筐体を取り外す必要がない。故に、使用上の利便性を向上させる。
【００１２】
連結装置１３は、結合ピンであればよい。第一接合部１２１は、連結装置１３の第一切欠き部１３１に埋め込むための第一突出し部１２１であり、且つ第二接合部２２２は、連結装置１３の第二切欠き部１３２に埋め込むための第二突出し部２２２である。図１（Ｂ）には、連結装置１３が示されている。連結装置１３の第一切欠き部１３１には、第一側１５１から突出する第一中央突出し部１６１が配置される。第二切欠き部１３２には、第二側１５２から突出する第二中央突出し部１６２が配置される。第一中央突出し部１６１は、第一突出し部１２１の第一中央切欠き部１４１に埋め込むためのものである。第二中央突出し部１６２は、第二突出し部２２２の第二中央切欠き部２３２に埋め込むためのものである。図３は、第一表面実装箱１１の概略分解図である。第一表面実装箱１１は、第一筐体３１及び第一ベース３２１を有する。第一筐体３１には、二つのフック部３３と、第一ベース３２１の左側端部３４に当接するための第一位置決め端部とが設けられる。左側端部３４は、第一位置決め端部と同じ側に設けられる。図４には、第一表面実装箱１１の第一ベース３２１が示されている。第一筐体３１を第一ベース３２１に固定するため、二つのフック部３３は、第一ベース３２１の二つの内向き突縁４０に当接する。図５は、本考案の実施例に係る複数の表面実装箱５０の組み合わせ状態の概略図である。図５によると、互いに結合した複数の表面実装箱５０の状態を見える。
【００１３】
図６は、本考案の好ましい実施例に係る他の連結装置の概略立体図である。図６において、前記連結装置は、結合片６０に変更することができ、結合片６０には、第一凸状突起６１及び第二凸状突起６２が更に設けられる。第一凸状突起６１は、中空部６３と、上突縁６４とを有する。前記第一接合部及び第二接合部は、図７に示される第一開口部７１及び第二開口部７２に変更する。第一凸状突起６１及び第二凸状突起６２は、第一開口部７１及び第二開口部７２のそれぞれに埋め込む。上突縁６４は、図８に示される第一開口部７１の周囲の環部８０に当接する。
【００１４】
本考案は、表面実装箱が更に含む。前記表面実装箱は、表面実装箱本体と、前記表面実装箱本体の第一側に設けられる第一接合部と、前記表面実装箱本体の第二側（第二表面実装箱１２の第二側２２と同じ）に設けられ、前記第一接合部と同じ構造を有する第二接合部（第二表面実装箱１２の第二接合部２２２と同じ）と、を含んでなる。前記第一接合部は、第一突出し部、第一切欠き部、第一凸状突起及び第一開口部からなる群から選択されることができる。
【００１５】
本考案は、第一実装箱及び第二実装箱を含むネットワーク通信系統に用いられる連結装置が更に含む。前記連結装置は、前記第一実装箱及び前記第二実装箱を連結するための連結本体と、前記連結本体の第一側に形成される第一結合部（例えば、第一切欠き部１３１）と、前記連結本体の第一側と反対側の第二側に形成される第二結合部（例えば、第二切欠き部１３２）と、を含んでなる。前記第一結合部は、第一切欠き部、第一突出し部、第一凸状突起及び第一開口部からなる群から選択され、前記第二結合部は、第二切欠き部、第二突出し部、第二凸状突起及び第二開口部からなる群から選択されて、前記第一結合部と同じ構造を有する。
【００１６】
実施例
１：表面実装箱の組み合わせ装置は、第一接合部が設けられる第一側を有する第一表面実装箱と、第二接合部が設けられる第二側を有する第二表面実装箱と、前記第一表面実装箱及び前記第二表面実装箱から独立する連結装置であって、前記第一表面実装箱と前記第二表面実装箱を組み合わせるように、前記第一接合部及び前記第二接合部を前記連結装置に埋め込む連結装置とを含んでなる。
【００１７】
２：実施例１に記載の表面実装箱の組み合わせ装置について、前記連結装置は、結合ピンであり、前記第一接合部は、前記連結装置の第一切欠き部に埋め込むための第一突出し部であり、且つ前記第二接合部は、前記連結装置の第二切欠き部に埋め込むための第二突出し部である。
【００１８】
３： 実施例１〜２に記載の表面実装箱の組み合わせ装置について、前記第一切欠き部には、前記第一突出し部の第一中央切欠き部に埋め込むための第一中央突出し部が設けられ、前記第二切欠き部には、前記第二突出し部の第二中央切欠き部埋め込むための第二中央突出し部が設けられる。
【００１９】
４：実施例１〜３に記載の表面実装箱の組み合わせ装置について、前記第一表面実装箱は、第一筐体及び第一ベースを有し、前記第一筐体には、前記第一ベースの内向き突縁に当接するためのフック部が設けられ、前記第一筐体には、前記第一ベースの左側端部に当接するための位置決め端部が設けられる。
【００２０】
５：実施例１〜４に記載の表面実装箱の組み合わせ装置について、前記連結装置は、結合片であり、前記第一接合部及び第二接合部は、第一開口部及び第二開口部であり、前記結合片には、前記第一開口部及び前記第二開口部のそれぞれに埋め込むための第一及び第二凸状突起が更に設けられる。
【００２１】
６：実施例１〜５に記載の表面実装箱の組み合わせ装置について、前記第一凸状突起は、中空部と、前記第一開口部の周囲の環部に当接するための上突縁とを有することを特徴とする請求項１に記載の表面実装箱の組み合わせ装置。
【００２２】
７：表面実装箱が、表面実装箱本体と、前記表面実装箱本体の第一側に設けられる第一接合部と、前記表面実装箱本体の第二側に設けられ、前記第一接合部と同じ構造を有する第二接合部とを含んでなる。
【００２３】
８：実施例７に記載の表面実装箱について、前記第一接合部は、第一突出し部、第一切欠き部、凸状突起及び開口部からなる群から選択される。
【００２４】
９：ネットワーク通信系統に用いられる連結装置について、第一実装箱及び第二実装箱と、前記第一実装箱及び前記第二実装箱を連結するための連結本体と、前記連結本体の第一側に形成される第一結合部と、前記連結本体の第一側と反対側の第二側に形成される第二結合部とを含んでなる。
【００２５】
１０：実施例９に記載の連結装置の前記第一結合部が、第一切欠き部、第一突出し部、第一凸状突起及び第一開口部からなる群から選択され、前記第二結合部は、第二切欠き部、第二突出し部、第二凸状突起及び第二開口部からなる群から選択されて、前記第一結合部と同じ構造を有する。
【００２６】
以上説明した内容を通して、本考案は、新しいデザインによって、独立の連結装置を利用して同じ構造を有する第一接合部と第二接合部を組み合わせ、且つ第一中央切欠き部と第一中央突出し部の結合によって、組み合わせた後の安定性を高めることができる。従って、当業者であれば本考案の技術思想を逸脱しない範囲で、多様な変更及び修正が可能であることが分かる。従って、本考案の技術的な範囲は、明細書の詳細な説明に記載された内容に限らず、実用新案登録請求の範囲によって定めなければならない。
【産業上の利用可能性】
【００２７】
本考案は、表面実装箱の組み合わせ装置、特に、独立の連結装置を利用することで複数の表面実装箱を連結する組み合わせ装置に適用され、産業上の利用可能性を有する。
【符号の説明】
【００２８】
１０表面実装箱の組み合わせ装置
１１第一表面実装箱
１０１、２０１実装箱本体
１１１実装箱本体１０１の第一側
１２１第一接合部／第一突出し部
１２第二表面実装箱
１３連結装置    １３０連結本体
１３１第一切欠き部
１３２第二切欠き部
１４１第一中央切欠き部
１５１連結本体１３０の第一側
１５２連結本体１３０の第二側
１６１第一中央突出し部
１６２第二中央突出し部
２２実装箱本体２０１の第二側
２２２第二接合部／第二突出し部
２３２第二中央切欠き部
２４第二筐体
２５第二位置決め端部
３１第一筐体
３２１第一ベース
３３フック部
３４左側端部
４０内向き突縁
５０表面実装箱
６０結合片
６１第一凸状突起
６２第二凸状突起
６３中空部
６４上突縁
７１第一開口部
７２第二開口部
８０環部
【図１Ａ】
0003200363.tif 000003
【図１Ｂ】
0003200363.tif 000004
【図２】
0003200363.tif 000005
【図３】
0003200363.tif 000006
【図４】
0003200363.tif 000007
【図５】
0003200363.tif 000008
【図６】
0003200363.tif 000009
【図７】
0003200363.tif 000010
【図８】
0003200363.tif 000011